(57)【要約】【課題】搬送ベルトを掛け渡した従動ローラーの軸心調整を簡単に行うことのできるパチンコ玉揚送装置を提供する。【解決手段】上部に従動ローラー（１３）と排出口（９）とを有する揚送塔（５）と、揚送塔（５）を接合構造（４）を介して下方支持する支持体（３）と、従動ローラー（１３）と駆動ローラー（１５）に掛け渡した搬送ベルト（１１）と、を設け、接合構造（４）を、支持体（３）に対する揚送塔（５）の起立角度を変更することにより、従動ローラー（１３）の軸心が水平線と作る角度を調整可能に構成する。従動ローラーの軸心調整を揚送塔下部にある接合構造を使って行うことができるので、作業員の手の届く範囲で簡単に行うことができる。【選択図】　　　　図３
2004081361.tif 000002
【特許請求の範囲】
【請求項１】
上部に従動ローラーと排出口とを有する揚送塔と、
当該揚送塔を接合構造を介して下方支持する支持体と、
当該支持体が有する駆動ローラーと、
当該従動ローラーと当該駆動ローラーに掛け渡した搬送ベルトと、
当該揚送塔本体内で当該搬送ベルトと対向するガイド部材と、を含み、当該ガイド部材と当該搬送ベルトとの間に挟持したパチンコ玉を揚送して当該排出口から排出可能なパチンコ玉揚送装置であって、
当該接合構造を、当該支持体に対する当該揚送塔の起立角度を変更することにより、当該従動ローラーの軸心が水平線と作る角度を調整可能に構成してある
ことを特徴とするパチンコ玉揚送装置。
【請求項２】
前記接合構造を、前記支持体上部に設けた支持台と、当該支持台上面と接合可能な接合面を有するフランジ部と、当該フランジ部を貫通する少なくとも１対のジャッキボルトと、により少なくとも構成してある
ことを特徴とする請求項１に記載したパチンコ玉揚送装置。
【請求項３】
前記ジャッキボルトには、緩み止めナットを螺合させてある
ことを特徴とする請求項２に記載したパチンコ玉揚送装置。
【請求項４】
前記接合構造を、前記支持体上部に設けた支持台と、当該支持台上面と接合可能な接合面を有するフランジ部と、当該支持台上面と当該接合面との間に挿入可能なスペーサーと、により少なくとも構成してある
ことを特徴とする請求項１に記載したパチンコ玉揚送装置。
【請求項５】
前記接合構造には、さらに前記フランジ部を前記支持台に接合する接合用ボルトを設けてある
ことを特徴とする請求項２乃至４に記載したパチンコ玉揚送装置。
【発明の詳細な説明】
【０００１】
【発明の属する技術分野】
この発明は、搬送ベルトとガイド部材との間に挟持したパチンコ玉を揚送するように構成したパチンコ玉揚送装置に関するものである。
【０００２】
【従来の技術】
これまで知られているパチンコ玉揚送装置として、特開平６−２９６７５０号公報に開示されたものがある。このパチンコ玉揚送装置は、上部ローラと下部駆動ローラーとの間に掛け渡された搬送ベルトを備え、この搬送ベルトと研磨布（研磨布装着扉）との間に挟持したパチンコ玉を揚送するようになっている。揚送ベルトはパチンコ玉と接触することにより磨耗するが、その磨耗が一様でなく偏ることが多い。この偏磨耗が起きると、搬送ベルトがローラから幅方向にずれる等の問題が生じる。上記のパチンコ玉揚送装置は、この偏磨耗に対処するため従動ローラーの軸心を調節ネジにより傾けさせる構成を備えている。搬送ベルトが磨耗した分だけ、従動ローラーの軸心を上方へ傾けさせてバランスをとるためである。
【０００３】
【発明が解決しようとする課題】
しかしながら、上述した従来の機構には、次のような問題点があった。すなわち、図８に示すように、搬送ベルト１０１の磨耗に対処するためには従動ローラー１０３の軸心１０５を右肩上がりの方向に傾けなければならない。搬送ベルト１０１の最上部にある従動ローラー１０３を上方に傾けるわけであるから、持ち上げた分だけ排出口１０７を狭くすることになる。排出口１０７の高さＨはパチンコ玉が通過可能なものでなければならないから、従動ローラーの傾けにも限界がある。さらに、パチンコ玉揚送装置は、一般に２．５メートル以上の高さを有しているので従動ローラーの位置も非常に高い。このため。調整を行う作業員は、脚立等の上に乗らなければ作業を行うことができない。しかも、パチンコ玉揚送装置は、非常に狭いパチンコ島の中に設置されている場合がほとんどであるから、調整作業はとてもやりづらい。本発明が解決しようとする課題は、上記の問題を解消することにある。すなわち、脚立等の上に乗ったりすることなく、簡単に従動ローラーの軸心調整のできるパチンコ玉揚送装置を提供することにある。
【０００４】
【課題を解決するための手段】
前述したようにパチンコ玉研磨装置は２．５メートルを超える高さを備えている。揚送塔だけでも２メートル以上の高さとなる。さらに、その重量は、揚送塔だけでも１００キログラム前後ある。このため、水平出しのためにパチンコ玉揚送装置全体を傾けることはあっても、高くて重い揚送塔だけを傾けるという思想は全く存在しなかった。鋭意研究を行った発明者は、従動ローラーとそれに掛け渡した搬送ベルトを揚送塔と一緒に傾ける、という新しい思想に到達した。すなわち、揚送塔は支持部と常に一体であるという発想を転換し、支持部に対する揚送塔の起立角度を変更可能とすればよいことに気がついた。本発明は、このような観点からなされたものである。その詳しい内容については、項を改めて説明する。なお、何れかの請求項における発明の説明において行う用語の定義等は、その性質上可能な範囲において他の請求項における発明にも適用されるものとする。
【０００５】
（請求項１に記載した発明の特徴）
請求項１に記載した発明に係るパチンコ玉揚送装置は、上部に従動ローラーと排出口とを有する揚送塔と、当該揚送塔を接合構造を介して下方支持する支持体と、当該支持体が有する駆動ローラーと、当該従動ローラーと当該駆動ローラーに掛け渡した搬送ベルトと、当該揚送塔本体内で当該搬送ベルトと対向するガイド部材と、を含み、当該ガイド部材と当該搬送ベルトとの間に挟持したパチンコ玉を揚送して当該排出口から排出可能に構成してある。特に大きな特徴は、当該接合構造を、当該支持体に対する当該揚送塔の起立角度を変更することにより、当該従動ローラーの軸心が水平線と作る角度を調整可能に構成してある点にある。
【０００６】
請求項１のパチンコ玉揚送装置によれば、接合構造の働きにより、支持体に対する揚送塔の起立角度が変更可能となる。揚送塔の起立角度を変更すると、それに伴い従動ローラーとそれに掛け渡した搬送ベルトも傾く。ところが、支持部が有する駆動ローラーは傾かない。つまり、一方を固定して他方を動かすことにより、従動ローラーの軸心が水平線と作る角度が変化することになる。起立角度の変更を搬送ベルトの偏磨耗に合わせて行えば、従動ローラーや駆動ローラーに対する搬送ベルトの幅方向のずれが有効に防止することができる。他方、従動ローラーと揚送塔の排出口との相対位置は変化しないので、調整により排出口を狭めることにはならない。さらに、接合構造は揚送塔の下部にあるので、高いところにある従動ローラーを調整する場合に比べて遥かに簡単である。
【０００７】
（請求項２に記載した発明の特徴）
請求項２に記載した発明に係るパチンコ玉揚送装置は、請求項１のパチンコ玉揚送装置であって、前記接合構造を、前記支持体上部に設けた支持台と、当該支持台上面と接合可能な接合面を有するフランジ部と、当該フランジ部を貫通する少なくとも１対のジャッキボルトと、により少なくとも構成してあることを特徴とする。
【０００８】
請求項２のパチンコ玉揚送装置によれば、請求項１のパチンコ玉揚送装置の作用効果に加え、支持部に対する揚送塔の起立角度を、ジャッキボルトの締付けと緩めとにより調整する。この締付けと緩めとにより、支持台上面と接合面とが作る角度が変化し、この変化が揚送塔の起立角度の変化に反映する。
【０００９】
（請求項３に記載した発明の特徴）
請求項３に記載した発明に係るパチンコ玉揚送装置は、請求項２のパチンコ揚送装置であって、前記ジャッキボルトには、緩み止めナットを螺合させてあることを特徴とする。
【００１０】
請求項３のパチンコ玉揚送装置によれば、請求項２のパチンコ玉揚送装置の作用効果に加え、緩みとめナットの働きにより、一端調整したジャッキボルトの緩みが抑制される。これにより、揚送塔の起立角度のより安定した保持が可能となる。
【００１１】
（請求項４に記載した発明の特徴）
請求項４に記載した発明に係るパチンコ玉揚送装置は、請求項１のパチンコ玉揚送装置であって、前記接合構造を、前記支持体上部に設けた支持台と、当該支持台上面と接合可能な接合面を有するフランジ部と、当該支持台上面と当該接合面との間に挿入可能なスペーサーと、により少なくとも構成してあることを特徴とする。「スペーサー」は、支持台上面と接合面との間に挿入可能な部材であればその形状に制限はないが、その断面形状を挿入方向に先細りとなるように形成すると挿入しやすいので便利である。
【００１２】
請求項４のパチンコ玉揚送装置によれば、請求項１のパチンコ玉揚送装置の作用効果に加え、支持部に対する揚送塔の起立角度を、スペーサーの挿入により調整する。スペーサーの挿入により、フランジ部が持ち上げられて支持台上面と接合面とが作る角度が変化する。
【００１３】
（請求項５に記載した発明の特徴）
請求項５に記載した発明に係るパチンコ玉揚送装置は、請求項２乃至４の何れかのパチンコ玉揚送装置であって、前記接合構造には、さらに前記フランジ部を前記支持台に接合する接合用ボルトを設けてあることを特徴とする。
【００１４】
請求項５のパチンコ玉揚送装置によれば、請求項２乃至４の何れかのパチンコ玉揚送装置の作用効果に加え、揚送塔の起立角度調整後に接合ボルトを締付けることにより、揚送塔を支持台にしっかりと固定することができる。これにより、揚送塔と支持台（支持部）との接合がより確実なものとなる。
【００１５】
【発明の実施の形態】
以下、各図を参照しながら、本発明の実施の形態（以下、適宜「本実施形態」という）について説明する。図１は、パチンコ玉研磨構造を備えるパチンコ玉揚送装置の正面図及び側面図である。図２は、図１に示すパチンコ玉揚送装置のドア部を開放した状態を示す正面図である。図３は、図２に示すパチンコ玉揚送装置の拡大図である。図４は、図２に示すパチンコ玉揚送装置のＡ−Ａ断面図である。図５は、図３に示すパチンコ玉揚送装置の左側面図である。図６は、接合構造の作用を示すための縦断面図である。図７は、図３に示す接合構造の変形例を示す拡大図である。
【００１６】
（揚送装置の概略構造）
図１及び２を参照しながら、パチンコ玉揚送装置（以下、単に「揚送装置」という）の概略構成について説明する。揚送装置１は、床面に設置するベース板２と、このベース板２に固定した支持部３と、この支持部３から接合構造４を介して起立する揚送塔５と、から概ね構成してある。揚送塔５には、その正面にドア部６（図２参照）をヒンジ結合して開閉するようにしてある。揚送塔５の内部には、研磨ガイド７と、研磨材として用いる研磨材８と、を設置し、搬送ベルト１１が通過できるように構成してある。搬送ベルト１１には、その長さ方向の所定間隔毎にガイドローラー（図示を省略）を設けてある。
【００１７】
（搬送ベルト）
図１及び２に示すように、搬送ベルト１１は、従動ローラー１３と駆動ローラー１５に掛け渡した無端ベルトであって、モータ１７を駆動源として回転するようにしてある。従動ローラー１３は揚送塔５頂部の排出口９の近くに取り付けてあり、駆動ローラー１５は支持部３に固定してある。搬送ベルト１１は、パチンコ玉を揚送する際に揚送塔５内を通過し、その復路でベルトカバー１２内を通過するようにしてある。搬送ベルト１１は、搬送しようとするパチンコ玉と接触する搬送面１１ａを有し、パチンコ玉に押圧力を加えるために充分な弾性を備えている。搬送ベルト１１を構成する素材は、合成ゴムが一般的であるが、合成ゴム以外の素材（たとえば、布材、合成皮革材）やこれらの複合体等であってもよい。また、その断面形状に制限はない。
【００１８】
（研磨ガイド）
図１及び２に示す研磨ガイド７は、搬送ベルト１１とともに搬送しようとするパチンコ玉に充分な押圧力を加えることのできる素材により構成してあり、そのために好適な素材として、たとえば、適度の硬度を持つ合成樹脂材がある。搬送ベルト１１と対向する研磨ガイド５の表面には、パチンコ玉の搬送方向に沿って延びるガイド溝（図示を省略）を形成してあり、その上にパチンコ玉を研磨するための研磨材８を装着してある（図２参照）。
【００１９】
（接合構造）
図３〜５を参照しながら、接合構造４について説明する。接合構造４は、支持体３上部に設けた支持台２１と、この支持台２１の上面２１ａ（図６参照）と接合可能な接合面２３ａ（図６参照）を有するフランジ部２３と、このフランジ部２３を貫通する１対のネジ孔２４，２４と、これらのネジ孔２４，２４に螺合する１対のジャッキボルト２５，２５と、により構成してあり、支持台２１がフランジ部２３を介して揚送塔５を下方から支持している。１対のネジ孔２４，２４（ジャッキボルト２５，２５）は、図４に示すように、揚送塔５を挟んで幅方向に対向している。支持体３に対する揚送塔５の幅方向の起立角度を調整可能とするためである。ジャッキボルト２５，２５には、緩み止めナット２６，２６を螺合させ、フランジ部２３にはそれを支持台２１に接合する接合用ボルト２７，２７，．．を設けておくことが好ましい。緩み止めナット２６，２６は、一端調整したジャッキボルト２５，２５の緩みを抑える働きがあり、接合用ボルト２７，２７，．．は、揚送塔を支持台２１にしっかりと固定する働きがあるからである。なお、本実施形態のジャッキボルト２５，２５は１対としたが、荷重を分担する等のためにこれを２対以上としてもよい。さらに、上記の部材以外の部材、たとえば、緩み止めナット２６，２６の締付けを容易にするために座金（図示せず）を入れたり、支持台２１の磨耗を防ぐためにその上面上に敷板（図示せず）を入れてジャッキボルト２５，２５の先端を当接させたりすることを妨げない。
【００２０】
（本実施形態の作用効果）
図３乃至６を参照しながら、本実施形態の作用効果について説明する。すなわち本実施形態の揚送装置１によれば、研磨ガイド７のガイド溝（図示を省略）に受け入れたパチンコ玉を、搬送ベルト１１により押圧しながら搬送研磨する。この搬送は搬送ベルト１１の回転により、また、この研磨は、パチンコ玉が研磨材８に擦りつけられることにより、それぞれ行われる。モータ１７（図２参照）は駆動ローラー１５を回転させ、従動ローラー１３の回転と相俟って搬送ベルト１１を回転させる。長時間の使用等により搬送ベルト１１が偏磨耗し、これにより、搬送ベルト１１が従動ローラー１３から横滑りしてずれる恐れが生じたときは、次のように対処が可能である。ここでは、図３に示す搬送ベルト１１の向って左側が偏磨耗した場合を想定して説明する。
【００２１】
まず、用意した工具を使って接合ボルト２７，２７，．．の一部又は全部を僅かに緩める。次に、緩み止めナット２６，２６を緩めてジャッキボルト２５，２５を締められる状態にする。図６に示す左側のジャッキボルト２５を少しずつ締めたり緩めたりしてフランジ部２３を傾かせる。微調整のために右側のジャッキボルト２５を締めたり緩めたりしてもよい。締付作業により、支持台上面２１ａとフランジ部接合面２３ａとが作る角度αが変化する。この変化は、フランジ部２３と一体の揚送塔５（図６において想像線で示す）の支持台２１（支持体３）に対する起立角度βの変化に反映する。角度αと角度βは同じ角度である。揚送塔５の起立角度がβだけ傾くと、図３に示す従動ローラー１３の軸心１４が、水平線との間に角度γだけ傾く。したがって、ジャッキボルト２５の締付により、従動ローラー１３の軸心１４が水平線と作る角度γが変化する。この変化により、図３に示す搬送ベルト１１の左肩部分が押し上げられる。このため、搬送ベルト１１の左側部分には右側部分よりも強い張力が働く。張力の違いにより偏磨耗のバランスがとれたところで締付を終了する。逆に、右側が偏磨耗したときには、上記のものとは逆のジャッキボルト２５の締付により対処すればよい。調整が完了したら、緩み止めナット２６，２６を締めてジャッキボルト２５，２５が緩まないようにしてから、接合ボルト２７，２７，．．をしっかり締め付ける。揚送塔５を支持台２１にしっかりと固定して両者の接合をより確実なものとするためである。これで、揚送塔５の起立角度の調整を完了する。
【００２２】
上記調整では、従動ローラー１３と揚送塔５の排出口９（図１（ｂ）参照）との相対位置は変化しないので、調整により排出口９を狭めることにはならない。このため、揚送塔５に対する従動ローラー１３の位置を変化させる調整方法に比べて、調整範囲を広くとることができる。また、接合構造４は揚送塔５の下部、すなわち、作業員の手の届く位置にあるので、２．５メートル前後の高いところにある従動ローラー１３の軸心を調整する場合に比べて遥かに簡単である。脚立等を利用する必要は全くない。
【００２３】
（接合構造の変形例）
図７を参照しながら、図３に示す接合構造の変形例について説明する。ここでは本実施形態と異なる点についてだけ説明し、共通する点については説明を省略する。本変形例に係る接合構造４´は、支持体３´上部に設けた支持台２１´と、この支持台２１´の上面２１´ａと接合可能な接合面２３´ａを有するフランジ部２３´と、支持台上面２１´ａと接合面２３´ａとの間に挿入可能なスペーサー３１と、により構成してある。スペーサー３１は、それを挿入することにより支持台上面２１´ａと接合面２３´ａと間に角度を作り、揚送塔５の起立角度を変更可能に構成してある。スペーサー３１の形状は、揚送塔５の起立角度を変更可能なものであればどのようなものでもよいが、断面形状を挿入方向に先細りさせておくと挿入を円滑に行えるので便利である。スペーサー３１は、たとえば鉄板ような揚送塔５の荷重に耐えられる素材により構成する。枚数は、１枚でもよいし、２枚以上を重ねて使用してもよい。厚み調整しやすいように、厚手のものと薄手のものとを組み合わせたり、薄手のものだけを何枚か重ね合わせたりして用いることもできる。フランジ部２３には、それを支持台２１に接合する接合用ボルト２７，２７，．．を設けておくことが好ましい。揚送塔５を支持台２１´にしっかりと固定するためである。
【００２４】
【発明の効果】
本発明によれば、脚立等の上に乗ったりすることなく作業員は、パチンコ玉揚送装置の従動ローラーの軸心調整を簡単に行うことができる。したがって、従動ローラーに掛け渡した搬送ベルトが偏磨耗等しても、そのままであれば幅方向にずれた搬送ベルトを簡単な軸心調整によりずらさないようにすることができる。
【図面の簡単な説明】
【図１】パチンコ玉研磨構造を備えるパチンコ玉揚送装置の正面図及び側面図である。
【図２】図１に示すパチンコ玉揚送装置のドア部を開放した状態を示す正面図である。
【図３】図２に示すパチンコ玉揚送装置の拡大図である。
【図４】図２に示すパチンコ玉揚送装置のＡ−Ａ断面図である。
【図５】図３に示すパチンコ玉揚送装置の左側面図である。
【図６】接合構造の作用を示すための縦断面図である。
【図７】図３に示す接合構造の変形例を示す断面図である。
【図８】従来のパチンコ玉研磨構造の部分拡大図である。
【符号の説明】
１　　　　パチンコ玉揚送装置
２　　　　ベース板
３　　　　支持体
４　　　　接合構造
５　　　　揚送塔
６　　　　ドア部
７　　　　研磨ガイド
８　　　　研磨材
９　　　　排出口
１１　　　　搬送ベルト
１２　　　　ベルトカバー
１３　　　　駆動ローラー
１４　　　　軸心
１５　　　　従動ローラー
１７　　　　モータ
２１　　　　支持台
２１ａ　　　支持台上面
２３　　　　フランジ部
２３ａ　　　接合面
２４　　　　ネジ孔
２５　　　　ジャッキボルト
２６　　　緩み止めナット
２７　　　接合ボルト
【図１】
2004081361.tif 000003
【図２】
2004081361.tif 000004
【図３】
2004081361.tif 000005
【図４】
2004081361.tif 000006
【図５】
2004081361.tif 000007
【図６】
2004081361.tif 000008
【図７】
2004081361.tif 000009
【図８】
2004081361.tif 000010